(57)【要約】【課題】一の所望の電子機器のみの操作を可能とする。【解決手段】複数のプロジェクタ２と、複数のプロジェクタ２を遠隔操作する操作装置１と、を有する電子機器操作システム１０において、操作装置１は、ユーザが操作するための操作部１１と、操作部１１により操作されたＩＤ確認命令を複数の出力強度で送信可能な送信部１３と、を有し、プロジェクタ２は、送信部１３から送信されたＩＤ確認命令を受信する受信部２３と、受信部２３で受信したＩＤ確認命令が所定の条件と一致した場合に報知するＬＥＤ２４ａと、を有する。【選択図】図１
2019192972.tif 000002
【特許請求の範囲】
【請求項１】
複数の電子機器と、当該複数の電子機器を遠隔操作する操作装置と、を有する電子機器操作システムにおいて、
前記操作装置は、ユーザが操作するための操作部と、前記操作部により操作されたＩＤ確認命令を複数の出力強度で送信可能な送信部と、を有し、
前記電子機器は、前記送信部から送信された前記ＩＤ確認命令を受信する受信部と、前記受信部で受信した前記ＩＤ確認命令が所定の条件と一致した場合に報知する報知部と、を有する電子機器操作システム。
【請求項２】
前記ＩＤ確認命令はＩＤコード情報を含み、
前記電子機器は、予め所定のＩＤコード情報が設定されており、前記報知部は、予め設定された前記所定のＩＤコード情報と、前記受信部で受信した前記ＩＤコード情報と、が一致した場合、前記ＩＤコード情報を報知する請求項１に記載の電子機器操作システム。
【請求項３】
前記電子機器と前記操作装置とは双方向の通信が可能であり、
前記操作装置は、前記ＩＤ確認命令を報知する前記電子機器の数に応じて、出力強度を自動で変更する請求項１又は２に記載の電子機器操作システム。
【請求項４】
前記操作装置は、前記操作部により操作された前記ＩＤ確認命令とは別の前記電子機器を遠隔操作するための信号を生成する信号制御部を備える請求項１から３のいずれか一項に記載の電子機器操作システム。
【請求項５】
前記報知部は発光部であり、
前記報知部は、前記ＩＤコード情報を、前記発光部を点滅させることにより報知する請求項２に記載の電子機器操作システム。
【請求項６】
前記電子機器は、画像データに基づいて画像を表示させる画像表示機能を備えた表示装置である請求項１から５のいずれか一項に記載の電子機器操作システム。
【請求項７】
前記表示装置は、画像データに基づく画像を投影して投影面に表示させるプロジェクタである請求項６に記載の電子機器操作システム。
【発明の詳細な説明】
【技術分野】
【０００１】
本発明は、電子機器操作システムに関する。
【背景技術】
【０００２】
従来、画像表示機能を備えた電子機器として、投射した画像をスクリーン等の投写面に表示させるプロジェクタ等の表示装置が知られている。
また、近年では、マルチスクリーン投影などの、プロジェクタを複数用いて画像を表示させる場面が増加している。かかる場面においてプロジェクタは天吊りなどされて設置されることもあり、プロジェクタ本体に設けられた操作部の操作が困難な場合、プロジェクタの設定は、無線による操作装置（いわゆるリモコン装置）を操作することによって行われることが主流となっている（例えば、特許文献１参照）。
【先行技術文献】
【特許文献】
【０００３】
【特許文献１】特開２００７−２７４６６２号公報
【発明の概要】
【発明が解決しようとする課題】
【０００４】
しかしながら、プロジェクタが隣接している場合などには、操作装置で操作した際に操作対象でないプロジェクタまで反応してしまうことがある。一方、例えばＩＤを設定するなどしてプロジェクタを常時個々に操作する構成とすると、いくつかのプロジェクタを一括で操作したい場合などに不便が生じる。
【０００５】
本発明の課題は、一の所望の電子機器のみの操作を可能とすることである。
【課題を解決するための手段】
【０００６】
上記課題を解決するために、本発明の電子機器操作システムは、複数の電子機器と、当該複数の電子機器を遠隔操作する操作装置と、を有する電子機器操作システムにおいて、前記操作装置は、ユーザが操作するための操作部と、前記操作部により操作されたＩＤ確認命令を複数の出力強度で送信可能な送信部と、を有し、前記電子機器は、前記送信部から送信された前記ＩＤ確認命令を受信する受信部と、前記受信部で受信した前記ＩＤ確認命令が所定の条件と一致した場合に報知する報知部と、を有する。
【発明の効果】
【０００７】
本発明によれば、一の所望の電子機器のみを操作することが可能となる。
【図面の簡単な説明】
【０００８】
【図１】電子機器操作システムの全体構成を示す概略図である。
【図２】ＩＤ確認命令処理を示すフローチャートである。
【図３】ＩＤ操作命令処理を示すフローチャートである。
【図４】ＩＤ操作命令処理による効果を説明するための図である。
【図５】ＩＤ確認変更命令処理を示すフローチャートである。
【図６】ＩＤの通知方法について説明するための図である。
【図７】ＩＤを通知している状態を示す図である。
【発明を実施するための形態】
【０００９】
以下、添付図面を参照して本発明に係る実施の形態を詳細に説明する。なお、本発明は、図示例に限定されるものではない。
【００１０】
［電子機器操作システムの構成］
まず、電子機器操作システム１０の構成について説明する。
【００１１】
図１は、電子機器操作システム１０の全体構成を示す概念図である。
図１に示すように、電子機器操作システム１０は、操作装置（リモコン装置）１と、複数のプロジェクタ（電子機器）２とを備えている。
操作装置１は、ユーザ操作に従って赤外線等の無線信号を操作信号として発信し、複数のプロジェクタ２を遠隔操作するための機器である。操作装置１は、筐体の表面に操作キー群を有し、当該筐体の一端に操作信号を発信する発光部１３ａを有する。なお、操作信号は赤外線信号が一般的であるが、本発明はこれに限定されるものではなく、無線で出力することができれば、他の波長帯域の電磁波でもよい。
プロジェクタ２は、画像データを映像光に変換してスクリーン（投影面）に向けて投影する、画像表示機能を有する表示装置である。プロジェクタ２は、操作装置１から発信された操作信号を受信し、その信号の指示に応じた動作を実行する。本実施の形態においては、複数のプロジェクタ２により、全方位に映像を投影することが可能となっている。
【００１２】
＜操作装置＞
操作装置１は、例えば、操作部１１、信号制御部１２及び送信部１３等を備えて構成されている。
【００１３】
操作装置１の操作部１１は、ユーザによる入力操作を受け付ける操作キー群を備え、操作された操作キーに応じた操作情報を、信号制御部１２に出力する。操作キー群には、例えば、プロジェクタ２に予め設定されたＩＤコード情報を確認するためのＩＤ確認命令を送信するＩＤキー１１ａや、数字キー１１ｂ、強度設定キー１１ｃなどが含まれ、プロジェクタ２に各種処理を実行させる。各種処理とは、プロジェクタ２に設定されているＩＤコード情報を報知させる処理や、プロジェクタ２に設定されているＩＤコード情報を、所定コード情報に変更させる処理を含む。
【００１４】
操作装置１の信号制御部１２は、操作装置１の操作部１１から出力された操作情報に基づき、プロジェクタ２を遠隔操作するための操作信号を生成する。
例えば、信号制御部１２は、ＩＤキー１１ａへの操作に応じて、ＩＤ確認命令を示す操作信号を生成する。また、信号制御部１２は、数字キー１１ｂ等への操作に応じて、ＩＤ確認命令とは別のプロジェクタ２を遠隔操作するための操作信号を生成する。
また、信号制御部１２は、強度設定キー１１ｃへのユーザ操作に応じて、操作信号の出力強度を変更する。即ち、信号制御部１２は、複数の出力強度の操作信号を生成することができる。
【００１５】
操作装置１の送信部１３は、赤外ＬＥＤなどの発光部１３ａを備え、信号制御部１２により生成された操作信号を光信号（赤外線等）に変換し、プロジェクタ２に対して発光部１３ａを介して送信する。送信部１３は、操作信号を複数の出力強度で送信可能である。
【００１６】
＜プロジェクタ＞
プロジェクタ２は、例えば、メイン制御部２１、サブ制御部２２、受信部２３、ＬＥＤ制御部２４、記憶部２５、投影部２６及び操作部２７等を備えて構成されている。
【００１７】
メイン制御部２１及びサブ制御部２２は、それぞれ、ＣＰＵ（Central Processing Unit）（図示省略）に、そのＣＰＵの動作を規定するプログラムを格納するＲＯＭ（Read Only Memory）やデータを一時的に保管する機能や作業領域としての機能を有するＲＡＭ（Random Access Memory）、並びにデータを保管する記憶部などの周辺装置を有して構成されている。
【００１８】
メイン制御部２１は、操作部２７等で受け付けられた指示情報や、操作装置１からの操作信号に応じて、プロジェクタ２全体の制御を行う。例えば、メイン制御部２１は、図２、図３及び図５に示す各処理のプロジェクタ２側の処理を実行する。
【００１９】
サブ制御部２２は、メイン制御部２１に比して回路規模が小さく、メイン制御部２１との間で通信可能に構成されている。サブ制御部２２は、受信部２３から操作信号を受信すると、当該操作信号をメイン制御部２１に出力する。
このサブ制御部２２は、プロジェクタ２がスタンバイ状態のときに必要な処理を実行させるものであり、プロジェクタ２がスタンバイ状態のときにも、メイン制御部２１、受信部２３及びＬＥＤ制御部２４との通信が可能である。例えば、サブ制御部２２は、プロジェクタ２がスタンバイ状態のとき、ＬＥＤ制御部２４にＬＥＤ（発光部、報知部）２４ａの点灯、消灯、点滅の指令を出力する。
【００２０】
受信部２３は、操作装置１からの操作信号を受信し、当該操作信号をサブ制御部２２に出力する。
【００２１】
ＬＥＤ制御部２４は、サブ制御部２２からの指令に応じて、ＬＥＤ２４ａを制御する。ＬＥＤ２４ａは、プロジェクタ２の外面に設置され、ＬＥＤ制御部２４の制御により、点灯、消灯、点滅を行う。報知部は、ＩＤコード情報を、発光部を点滅させることで報知するが、具体的には、点滅回数や点灯時間、点灯パターン等を変えることで、どのＩＤコード情報であるのかをユーザが識別できるようにする。
【００２２】
なお、ＬＥＤ２４ａのような発光部に限らず、報知できるものであれば、報知部としては、液晶、有機ＥＬ等のディスプレイ（表示部）や音出力部であっても良い。報知部が発光部や表示部の場合、ユーザは視覚的に情報を得るために、意図してその方向を見る必要がある。これに対し、報知部が音出力部の場合、無方向性であるため、ユーザが音出力部の方向を見なくても、ユーザの向きに関係なくどのプロジェクタ２から報知音が出力されているのかを認識できる。音としては、若年者でも高齢者でも聴力にあまり差のない２，０００Ｈｚ以下の周波数の音が望ましい。また、単純な電子回路で合成できる単一の波形で構成されるビープ音を使用することができる。或いは、音声合成ＬＳＩ等の高度な音声出力用の集積回路を用い、所定のメロディや録音された人間の音声を音出力部から出力しても良い。
【００２３】
記憶部２５は、不揮発性の半導体メモリやハードディスク等により構成される。記憶部２５には、例えば、図示しないネットワークを介して送信されてきた画像データや、そのプロジェクタ２に予め設定されているＩＤコード情報等が記憶されている。ＩＤコード情報は、例えば、初期設定時のＩＤ００、および任意に設定可能なＩＤ０１、ＩＤ０２、ＩＤ０３から選択でき、記憶されている。
【００２４】
投影部２６は、表示素子、光源、光源側光学系、投影光学系、冷却ファン等を備えて構成され、メイン制御部２１の指示に従って、記憶部２５に記憶された画像データを映像光に変換して壁面やスクリーンに向けて照射することにより映像を投影する。
【００２５】
操作部２７は、電源スイッチを始めとする複数のスイッチ等を備えて構成され、ユーザ操作に基づく各種情報をメイン制御部２１に出力する。
ここで、操作部２７は、文字や数値入力を直接行うためのキーボードや電子的なキーボードを表示可能なタッチパネル等を備えておらず操作性が低い。そのため、プロジェクタ２に係る各種設定情報は、操作装置１を介した操作信号として入力される。
【００２６】
［電子機器操作システムの動作］
次に、電子機器操作システム１０の動作について説明する。
【００２７】
＜ＩＤ確認命令処理＞
ユーザが操作したい所望のプロジェクタ２を確認するための命令処理を、操作装置１から発信されるＩＤ確認命令によって行う。
図２は、ＩＤ確認命令処理を示すフローチャートである。
【００２８】
図２に示すように、操作装置１において、ユーザ操作によりＩＤ確認命令が生成される（ステップＳ１１）。例えば、ＩＤコード情報として、ＩＤ００、ＩＤ０１，ＩＤ０２、ＩＤ０３が設定可能である。ＩＤコード情報として、ＩＤ００が初期設定されている。
次いで、送信部１３により、生成されたＩＤ確認命令がプロジェクタ２に対して送信される（ステップＳ１２）。
【００２９】
次いで、プロジェクタ２において、受信部２３によりＩＤ確認命令が受信されると、ＩＤ確認命令がサブ制御部２２を介してメイン制御部２１に出力される（ステップＳ１３）。
【００３０】
次いで、メイン制御部２１は、ＩＤ確認命令のＩＤコード情報と、記憶部２５に記憶された自身のＩＤコード情報と、を比較して両者が一致しているか否かを判断し（ステップＳ１４）、一致していない場合（ステップＳ１４：ＮＯ）、本処理を終了する。
【００３１】
一方、一致している場合（ステップＳ１４：ＹＥＳ）、報知部（ＬＥＤ２４ａ）は、ＩＤコード情報を報知し、本処理を終了する。
【００３２】
仮にＩＤコード情報を報知したプロジェクタ２が１台であり、且つそのプロジェクタ２が、ユーザが操作したい所望のプロジェクタ２であった場合、これでユーザの操作は終了する。この後、ユーザは、所望のプロジェクタ２に対し、操作装置１を使用して各種設定等、個々の操作を行うことができる。
もし、ＩＤコード情報を報知したプロジェクタ２が、ユーザが操作したい１台の所望のプロジェクタ２を含んでいるが、複数台であった場合には、ユーザが所望のプロジェクタ２に近づき、操作装置１を所望のプロジェクタ２の方向に向けて操作することで、所望の１台のプロジェクタ２のみ操作をすることが可能となる。或いはＩＤ確認命令の出力強度を弱くして再度図２に示すフローの動作を行うことで、所望の１台のプロジェクタ２のみ操作をすることが可能となる。
これにより、ユーザは、所望のプロジェクタ２に対し、操作装置１を使用して各種設定等、個々の操作を行うことができる。
【００３３】
また、ＩＤコード情報を報知したプロジェクタ２が、ユーザが操作したい所望のプロジェクタ２を含まなかった場合、前回と異なるＩＤコード情報（ＩＤ００、ＩＤ０１、ＩＤ０２、ＩＤ０３）を設定し、再度図２に示すフローの動作を行う。
これにより、所望の１台のプロジェクタ２を操作可能とすることができる。
【００３４】
＜ＩＤ操作命令処理＞
ＩＤ確認命令処理によって、特定の所望のプロジェクタ２のみの操作が可能となった後、ＩＤ操作命令処理を行う。操作装置１から発信されるＩＤ操作命令によって、ユーザの所望のプロジェクタ２に対して操作を行う。１台ずつ個別に、電源オン、台形補正、モード設定、輝度設定、その他各種設定をする等、特定のプロジェクタ２を操作したい場合に有効である。
図３は、ＩＤ操作命令処理を示すフローチャートである。
なお、かかる処理において、プロジェクタ２は電源が入った状態であるとする。
【００３５】
図３に示すように、操作装置１において、ユーザ操作に応じて操作部１１から、台形補正等の各種設定の操作情報が入力（操作）されると（ステップＳ１０１）、信号制御部１２は、操作信号を生成する（ステップＳ１０２）。
【００３６】
次いで、送信部１３により、生成された操作信号はプロジェクタ２に対して送信される（ステップＳ１０３）。
【００３７】
次いで、プロジェクタ２において、受信部２３により操作信号が受信されると、当該操作信号がサブ制御部２２を介してメイン制御部２１に出力される（ステップＳ１０４）。
【００３８】
次いで、メイン制御部２１は、操作信号に含まれる操作コードに沿った動作を実行し（ステップＳ１０５）、本処理を終了する。
【００３９】
以上の処理は、ＩＤ確認命令処理の後に実施しているため、既に、操作したい所望のプロジェクタ２のみ操作可能となっている。従って、図４（ａ）に示すように、操作したいプロジェクタ２のみを制御することができる。ここで、同じＩＤコードが複数のプロジェクタ２に設定されている場合にも、これらが同時に反応してしまうことがない。
即ち、本実施の形態においては、操作部１１により入力された操作情報の対象範囲に応じた出力強度で操作信号が生成、発信されている。
よって、ユーザが所望のプロジェクタ２に近づき、操作装置１をプロジェクタ２の方向に向けることで、一の所望のプロジェクタ２のみを動作させることが可能となる。これにより、台形補正等の設定を、１台ずつ行うことができる。
【００４０】
なお、複数台のプロジェクタ２を同時に操作したい場合には、図４（ｂ）に示すように、出力強度を最大にすることができる。それでも、操作したいプロジェクタ２全部を操作できない場合は、最初に出力強度を最大にして電波が届く複数のプロジェクタ２を操作する。次に、操作信号が届かずに操作できなかったプロジェクタ２にユーザが近づいて操作装置１を向け、出力強度を弱めて、１台ずつ順番に操作することで、所望のプロジェクタ２全部に対して操作することができる。
【００４１】
また、本実施の形態は、操作装置１の強度設定キー１１ｃへのユーザ操作に応じて、複数の出力強度の操作信号が生成・送信される構成であるが、自動で徐々に出力強度が変更される構成としても良い。
【００４２】
徐々に出力強度が変更される構成として、１台の操作装置１と、複数のプロジェクタ２と、が双方向で通信可能な場合の動作例を示す。
各々のプロジェクタ２に対し、予め所定のＩＤコード情報が設定されている。しかし、ＩＤコードは００〜０３の４つ等、ＩＤコード情報の数は限られているため、ＩＤコード情報の数より多いプロジェクタ２が存在する場合、同一のＩＤコード情報を有するプロジェクタ２が複数存在する。
【００４３】
まず、操作装置１は、ユーザが確認情報としてＩＤコード情報を操作部１１で操作し、操作部１１により操作されたＩＤコード情報を第１の出力強度（最大の出力強度）で送信する。これにより、ＩＤコード情報を受信できたプロジェクタ２は、操作装置１から送信されたＩＤコード情報を受信し、予め設定されたＩＤコード情報と、受信部２３で受信したＩＤコード情報と、が一致した場合、報知部は、ＩＤコード情報を報知する。
【００４４】
次に、操作装置１は、プロジェクタ２の報知部から報知されたＩＤコード情報を受信する。ＩＤコード情報を報知するプロジェクタ２が複数台あった場合、操作装置１は、このＩＤコード情報を第１の出力強度より出力強度の小さい第２の出力強度で送信する。これにより、ＩＤコード情報を受信できたプロジェクタ２は、操作装置１から送信されたＩＤコード情報を受信し、予め設定されたＩＤコード情報と、受信部２３で受信したＩＤコード情報と、が一致した場合、報知部は、ＩＤコード情報を報知する。
【００４５】
次に、再び操作装置１は、プロジェクタ２の報知部から報知されたＩＤコード情報を受信する。ＩＤコード情報を報知するプロジェクタ２が前回より少ないがまだ複数台あった場合、操作装置１は、このＩＤコード情報を第２の出力強度より出力強度の小さい第３の出力強度で送信する。これにより、ＩＤコード情報を受信できたプロジェクタ２は、操作装置１から送信されたＩＤコード情報を受信し、予め設定されたＩＤコード情報と、受信部２３で受信したＩＤコード情報と、が一致した場合、報知部は、ＩＤコード情報を報知する。
【００４６】
次に、操作装置１は、プロジェクタ２の報知部から報知されたＩＤコード情報を受信する。ＩＤコード情報を報知するプロジェクタ２が１台のみになった場合、操作装置１による再度のＩＤコード情報の送信は不要となる。この結果、ユーザは操作装置１を使用して、第３の出力強度で送信すれば、台形補正等の各種設定を所望のプロジェクタ２に対して行うことができる。
【００４７】
このように、操作装置１により複数のプロジェクタ２が反応してしまう場合、操作装置１の出力強度を自動で徐々に弱く設定できるので、容易に所望のプロジェクタ２のみ操作することが可能となる。また、所望のプロジェクタ２のみ操作できることを確認してから、様々な操作を行うことができるので、所望のプロジェクタ２以外のプロジェクタ２を誤って操作してしまうことを抑制できる。
【００４８】
＜ＩＤ確認変更命令処理＞
また、本実施の形態によれば、プロジェクタ２がスタンバイ状態において、個々のプロジェクタ２のＩＤを確認及び変更することができる。なお、プロジェクタがオン状態であれば、ＯＳＤメニューを用いてＩＤを確認及び変更することもできる。
図５は、ＩＤ確認変更命令処理を示すフローチャートである。
【００４９】
図５に示すように、操作装置１において操作信号が生成され、この操作信号がプロジェクタ２に対して送信される（ステップＳ２０１）。
ここで、ステップＳ２０１では、図３のステップＳ１０１〜ステップＳ１０３と同一の処理が実行される。
なお、数字キー１１ｂを介して、プロジェクタ２に予め設定されたＩＤコード情報を通知させるＩＤ取得要求コードが入力された場合（即ち、操作情報にＩＤ取得要求コードが含まれる場合）、ＩＤ取得要求コードを含む操作信号が生成される。
また、数字キー１１ｂを介して、プロジェクタ２に予め設定されたＩＤコード情報を変更させるＩＤ変更要求コードが入力された場合（即ち、操作情報にＩＤ変更要求コードが含まれる場合）、ＩＤ変更要求コードを含む操作信号が生成される。
【００５０】
次いで、プロジェクタ２において、受信部２３により操作信号が受信されると、当該操作信号がサブ制御部２２に出力される（ステップＳ２０２）。
【００５１】
次いで、サブ制御部２２は、操作信号にＩＤ取得要求コードが含まれるか否かを判断する（ステップＳ２０３）。
【００５２】
そして、ＩＤ取得要求コードが含まれる場合（ステップＳ２０３：ＹＥＳ）、サブ制御部２２は、ＬＥＤ２４ａが点滅によりＩＤコード情報を通知するＩＤ通知状態となっているか否かを判断する（ステップＳ２０４）。
【００５３】
そして、ＩＤ通知状態である場合（ステップＳ２０４：ＹＥＳ）、サブ制御部２２は、ＬＥＤ制御部２４を制御して、ＬＥＤ２４ａの点滅を停止させ（ステップＳ２０６）、本処理を終了する。
【００５４】
一方、ＩＤ通知状態でない場合（ステップＳ２０４：ＮＯ）、サブ制御部２２は、ＬＥＤ２４ａを点滅させ（ステップＳ２０５）、本処理を終了する。
具体的に、サブ制御部２２は、自身のＩＤコード情報を確認し、そのＩＤの数値と同じ回数だけＬＥＤ２４ａが点滅を行うように、ＬＥＤ制御部２４を制御する。
より具体的には、点滅の周期を、点滅の回数を人間が見て判別できるくらいの周期（０．３〜０．７秒位）とする。そして、ＬＥＤ２４ａがＩＤコード情報と同じ回数点滅したら、その時間と同じ時間だけＬＥＤ２４ａを消灯させる。このように点滅と消灯を繰り返させて、周期的にＩＤコード情報と同じ回数分点滅するＬＥＤ２４ａを実現する。
【００５５】
図６（ａ）は、ＩＤコード情報がＩＤ０１の場合のＬＥＤ２４ａの点滅パターンを示す図であり、図６（ｂ）は、ＩＤコード情報がＩＤ０３の場合のＬＥＤ２４ａの点滅パターンを示す図である。図６（ａ）（ｂ）において、Ｈｉｇｈのときに点灯、Ｌｏｗのときに消灯を示す。
図６（ａ）に示すように、ＩＤコード情報がＩＤ０１の場合、点灯と消灯を等間隔で繰り返す。また、図６（ｂ）に示すように、ＩＤコード情報がＩＤ０３の場合、ＬＥＤ２４ａが３回点滅したら、同じ時間、ＬＥＤ２４ａを消灯させる。
ユーザは、このようなＬＥＤ２４ａの点滅パターンを目視で確認することにより、所望のプロジェクタ２のＩＤコード情報を確認することができる。
【００５６】
また、上記ステップＳ２０３において、ＩＤ取得要求コードが含まれない場合（ステップＳ２０３：ＮＯ）、サブ制御部２２は、操作信号にＩＤ変更要求コードが含まれるか否かを判断する（ステップＳ２０７）。例えば、隣接した２台のプロジェクタを同時に操作したい場合、同じＩＤコード情報に変更する際に有効である。
具体的に、サブ制御部２２は、例えば、操作信号に、ＩＤ取得要求コードと、変更前のＩＤコード情報と、変更したいＩＤコード情報（変更前のＩＤコード情報と異なるコード情報）とが連続して含まれる場合、ＩＤ変更要求コードと判断する。なお、ＩＤ変更要求コードが別途設定されていても良い。
【００５７】
そして、ＩＤ変更要求コードが含まれる場合（ステップＳ２０７：ＹＥＳ）、サブ制御部２２は、操作信号に含まれる変更したいコードを、記憶部２５に記憶された変更前のＩＤコードに上書きして、ＩＤコード情報の設定変更を行い（ステップＳ２０８）、上記ステップＳ２０５に移行する。
なお、ＩＤコード情報変更後は、ステップＳ２０５において、ＬＥＤ２４ａの点滅回数には変更が反映される。
【００５８】
一方、ＩＤ変更要求コードが含まれない場合（ステップＳ２０７：ＮＯ）、サブ制御部２２は、操作信号に含まれる各種コード情報（ＩＤコード情報、操作コード情報など）を取得して、そのコード情報に沿った動作を実行し（ステップＳ２０９）、本処理を終了する。
このとき、操作信号にＩＤコード情報が含まれる場合には、自身のＩＤコード情報と一致するか否かを判断し、一致しない場合には処理を終了するのは勿論である。
【００５９】
なお、上記ステップＳ２０６以外のタイミングであっても、ＬＥＤ２４ａの点滅中に、操作装置１に設けられたＥＳＣキー（図示省略）の押下操作などにより、ＬＥＤ２４ａの状態を元に戻すことが可能な構成とすることが好ましい。
【００６０】
以上の処理によれば、図７に示すように、ＬＥＤ２４ａの点滅を用いてプロジェクタ２のＩＤコード情報が示されるため、プロジェクタ２のスタンバイ状態であっても、ユーザは、プロジェクタ個々のＩＤコード情報を確認し、変更することも可能となる。
なお、ＩＤ取得要求コードを含む操作信号が通常の設定強度で生成された場合、プロジェクタ２の設置位置に応じて複数のプロジェクタ２のＬＥＤ２４ａが点滅することとなるが、ＩＤ取得要求コードを含む操作信号を、通常の設定強度より弱い出力強度で生成させ、ユーザの任意の、一のプロジェクタ２のＬＥＤ２４ａのみ点滅させることとしても良い。
【００６１】
また、上記実施の形態のＩＤ確認命令処理においては、プロジェクタ２は、予め所定のＩＤコード情報が設定されており、プロジェクタ２の報知部は、予め設定されたＩＤコード情報と、受信部２３で受信したＩＤコード情報と、が一致した場合、ＩＤコード情報を報知するとした。しかし、プロジェクタ２は予め所定のＩＤコード情報が設定されていなくても良い。具体的には、操作装置１から電波（確認情報）を出し、電波を受信したプロジェクタ２が、受信した電波が操作装置１からのものであることを確認できたら（即ち確認情報が所定の条件と一致したら）、報知部により報知する。
【００６２】
［本実施の形態の効果］
以上のように、本実施の形態によれば、複数のプロジェクタ２と、複数のプロジェクタ２を遠隔操作する操作装置１と、を有する電子機器操作システム１０において、操作装置１は、ユーザが操作するための操作部１１と、操作部１１により操作されたＩＤ確認命令を複数の出力強度で送信可能な送信部１３と、を有し、プロジェクタ２は、送信部１３から送信されたＩＤ確認命令を受信する受信部２３と、受信部２３で受信したＩＤ確認命令が所定の条件と一致した場合に報知するＬＥＤ２４ａと、を有する。
このため、一の所望のプロジェクタ２のみを操作することが可能となる。
【００６３】
また、本実施の形態によれば、ＩＤ確認命令はＩＤコード情報を含み、プロジェクタ２は、予め所定のＩＤコード情報が設定されており、ＬＥＤ２４ａは、所定のＩＤコード情報と、受信部２３で受信したＩＤコード情報と、が一致した場合、ＩＤコード情報を報知する。
このため、受信したＩＤコード情報と一致するＩＤコード情報が設定されたプロジェクタ２を認識することが可能となる。
【００６４】
また、本実施の形態によれば、プロジェクタ２と操作装置１とは双方向の通信が可能であり、操作装置１は、ＩＤ確認命令を報知するプロジェクタ２の数に応じて、出力強度を自動で変更する。
このため、操作装置１により複数のプロジェクタ２が反応してしまう場合、操作装置１の出力強度を自動で徐々に弱く設定できるので、容易に所望のプロジェクタ２のみ操作することが可能となる。また、所望のプロジェクタ２のみ操作できることを確認してから、様々な操作を行うことができるので、所望のプロジェクタ２以外のプロジェクタ２を誤って操作してしまうことを抑制できる。
【００６５】
また、本実施の形態によれば、操作装置１は、操作部１１により操作されたＩＤ確認命令とは別のプロジェクタ２を遠隔操作するための信号を生成する信号制御部１２を備える。
このため、操作装置１により、ＩＤ確認命令とは別の各種の信号を生成・送信し、プロジェクタ２を遠隔操作することができる。
【００６６】
また、本実施の形態によれば、報知部は発光部であり、報知部は、ＩＤコード情報を、発光部を点滅させることにより報知させる。
このため、ユーザは、視覚的にＩＤコード情報を認識することができる。
【００６７】
なお、信号制御部１２は、操作装置１の発光部１３ａの周辺に、当該発光部１３ａから出射される光を段階的に遮断可能な絞り部材を備え、かかる絞り部材を切り替えることにより、入力された操作情報の対象範囲に応じた出力強度で操作信号を生成する構成としても良い。
【００６８】
また、ＩＤ取得要求コード情報を含む操作信号を受け取ったら、プロジェクタ２から操作装置１に対してＩＤコード情報を送ることとしても良い。この際、操作装置１からの操作信号を弱めて、所望のプロジェクタ２のＩＤコード情報を取得する構成とすることができる。
【００６９】
また、上記実施の形態では、電子機器（表示装置）の一例としてプロジェクタを用いて説明したが、電子機器はこれに限定されない。
【００７０】
その他、操作装置１及びプロジェクタ２を構成する各部の細部構成及び細部動作に関しても、本発明の趣旨を逸脱することのない範囲で適宜変更可能であることは勿論である。
【００７１】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数の電子機器と、当該複数の電子機器を遠隔操作する操作装置と、を有する電子機器操作システムにおいて、
前記操作装置は、ユーザが操作するための操作部と、前記操作部により操作されたＩＤ確認命令を複数の出力強度で送信可能な送信部と、を有し、
前記電子機器は、前記送信部から送信された前記ＩＤ確認命令を受信する受信部と、前記受信部で受信した前記ＩＤ確認命令が所定の条件と一致した場合に報知する報知部と、を有する電子機器操作システム。
＜請求項２＞
前記ＩＤ確認命令はＩＤコード情報を含み、
前記電子機器は、予め所定のＩＤコード情報が設定されており、前記報知部は、予め設定された前記所定のＩＤコード情報と、前記受信部で受信した前記ＩＤコード情報と、が一致した場合、前記ＩＤコード情報を報知する請求項１に記載の電子機器操作システム。
＜請求項３＞
前記電子機器と前記操作装置とは双方向の通信が可能であり、
前記操作装置は、前記ＩＤ確認命令を報知する前記電子機器の数に応じて、出力強度を自動で変更する請求項１又は２に記載の電子機器操作システム。
＜請求項４＞
前記操作装置は、前記操作部により操作された前記ＩＤ確認命令とは別の前記電子機器を遠隔操作するための信号を生成する信号制御部を備える請求項１から３のいずれか一項に記載の電子機器操作システム。
＜請求項５＞
前記報知部は発光部であり、
前記報知部は、前記ＩＤコード情報を、前記発光部を点滅させることにより報知する請求項２に記載の電子機器操作システム。
＜請求項６＞
前記電子機器は、画像データに基づいて画像を表示させる画像表示機能を備えた表示装置である請求項１から５のいずれか一項に記載の電子機器操作システム。
＜請求項７＞
前記表示装置は、画像データに基づく画像を投影して投影面に表示させるプロジェクタである請求項６に記載の電子機器操作システム。
【符号の説明】
【００７２】
１０  電子機器操作システム
１  操作装置
１１  操作部
１１ａ  ＩＤキー
１１ｂ  数字キー
１１ｃ  強度設定キー
１２  信号制御部
１３  送信部
１３ａ  発光部
２  プロジェクタ（表示装置、電子機器）
２１  メイン制御部
２２  サブ制御部
２３  受信部
２４  ＬＥＤ制御部
２４ａ  ＬＥＤ（報知部、発光部）
２５  記憶部
２６  投影部
２７  操作部
【図１】
2019192972.tif 000003
【図２】
2019192972.tif 000004
【図３】
2019192972.tif 000005
【図４】
2019192972.tif 000006
【図５】
2019192972.tif 000007
【図６】
2019192972.tif 000008
【図７】
2019192972.tif 000009